(57)【要約】【課題】ディスク駆動装置を備えた携帯型情報処理装置を小型軽量化する。【解決手段】本体２１にディスク記録媒体３２の着脱が可能なディスク駆動装置と、その上を覆うディスクカバー２４と、キーボード２２とを備え、ディスク駆動装置は本体２１に直接または緩衝材を介して固定され、ディスクカバー２４はキーボード２２の端縁に平行な軸２３を中心として本体２１に対して開閉自在で、ディスクカバー２４を開いてディスク駆動装置の駆動軸３１にディスク記録媒体３２を装着したときディスク記録媒体３２の一部はキーボード２２の下方に進入し、この結果本体２１の高さや奥行き寸法を小さくできるので小型軽量化が図れる。【選択図】  図２
2004326499.tif 000002
【特許請求の範囲】
【請求項１】
筐体の本体に、
ディスク記録媒体の着脱が可能なディスク駆動装置と、
前記ディスク駆動装置を覆うディスクカバーと、
データ入力のためのキーボードとを備え、
前記ディスク駆動装置は前記本体に直接または緩衝材を介して固定され、
前記ディスクカバーは前記キーボードの端縁に近くかつ前記キーボードの端縁に平行な軸を中心として前記筐体に対して開閉され、
前記ディスクカバーを開いて前記ディスク駆動装置にディスク記録媒体を装着したとき前記ディスク記録媒体の一部は前記キーボードの下方に進入することを特徴とする携帯型情報処理装置。
【請求項２】
位置入力用のポインティングデバイスを前記ディスクカバーに備えたことを特徴とする請求項１記載の携帯型情報処理装置。
【請求項３】
前記キーボードは前記筐体に固定され前記キーボードの下面は熱伝導率の良い材料で構成され筐体内の発熱部品に接触していることを特徴とする請求項１または２記載の携帯型情報処理装置。
【請求項４】
前記ディスク駆動装置は装着した前記ディスク記録媒体が前記キーボード下方に進入した部分に向かって他の部分より低くなるよう傾斜して取り付けられていることを特徴とする請求項１から３のいずれかに記載の携帯型情報処理装置。
【請求項５】
表示装置を有し前記本体に対して軸により回動自在である表示部を備え、
前記表示部の縁辺が前記表示装置の面から突出しており前記ディスクカバーが開いた状態で前記表示部を閉じようとしたとき前記ディスクカバーが前記表示部の縁辺に当接するように構成したことを特徴とする請求項１から４のいずれかに記載の携帯型情報処理装置。
【請求項６】
前記ディスクカバーを解放方向に付勢する付勢手段を備え、この付勢手段は前記ディスクカバーが前記表示部の縁辺に当接する側に備えられていることを特徴とする請求項５に記載の携帯型情報処理装置。
【発明の詳細な説明】
【０００１】
【発明の属する技術分野】
本発明は携帯型情報処理装置に関し、さらに詳しくはディスク記録媒体を着脱可能なものに関する。
【０００２】
【従来の技術】
近年、ノート型パーソナルコンピュータ（以下ノート型パソコン）などの小型軽量の情報処理装置が急激に普及、発展し、アプリケーションソフトウエアやデータの容量増大に伴い、着脱可能な記録媒体も大容量のものが求められ、また音楽や映像の鑑賞を目的にノート型パソコンにもＣＤ−ＲＯＭやＤＶＤ−ＲＯＭ等の光ディスクを再生できる、さらには書き込みできるディスク駆動装置が搭載されている。
【０００３】
図５はこれらディスク駆動装置を搭載した従来のノート型パソコンの使用状態の外観斜視図、図６は同じくその筐体の裏板を外したときの底面図である。図５において、本体１は上ケース１ａと下ケース１ｂからなり、上ケース１ａの上面には、文字、数字、記号などを入力し、またはノート型パソコンに各種の指示を与えるための多数のキーを配列したキーボード２が、その手前には画面上の位置入力用のキーパッドなどのポインティングデバイス３が配置されている。本体後方の端部に平行な軸４に対して回動自在に表示部５が取り付けられ、表示部５を閉じたときキーボード２に面する側に液晶表示装置などの表示部６が配置されている。
【０００４】
本体１の左側面にはＣＤ−ＲＯＭまたはＤＶＤ−ＲＯＭなどのディスク７を駆動軸８で回転自在に装着したディスク駆動装置９がエジェクトボタン１０を押すことにより図示のように電動でスライドして出てくるように構成されている。
【０００５】
また、ディスク駆動装置を備えるものであって、上記のようなスライド式のディスク駆動装置とは異なった構成のものとして特許文献１のようなものがある。
【０００６】
【特許文献１】
特開平５−３４６８２９号公報（要約および図２）
【０００７】
【発明が解決しようとする課題】
しかしながら、従来のノート型パソコンにおいては、ディスク駆動装置がスライドして出てくる構成のため、スライド機構が必要であり、駆動機構やモータのために重量が増加する。
【０００８】
またディスク駆動装置やディスクがスライドするためにディスク駆動装置スペースやディスク移動スペースの部分は構成部品が移動する範囲にわたって他のものと接触しないための空間が必要であり、容積効率が悪い。
【０００９】
さらに筐体側面が切り欠かれ筐体の構造強度が低下するため、上ケース、下ケースとも肉厚を大にして強度を持たさなければならず、重量、体積とも増大するという種々の問題点があった。
【００１０】
またキーボードユニット全体を開閉しているが、この構成ではキーボードユニットの底面をアルミニウムや銅などの熱伝導率の良い材質で構成し、この底面にＣＰＵなどの発熱部分を接触させて放熱するという手段が取りにくい、という問題点もあった。
【００１１】
本発明は筐体材料を薄肉にしても強度を高められ、ディスク駆動装置周辺に部品移動スペースも不要で筐体全体も薄く小容積にでき、小型軽量化できる携帯型情報処理装置を提供することを目的とする。
【００１２】
【課題を解決するための手段】
上記課題を解決するために、本発明の携帯型情報処理装置は、筐体の本体に、ディスク記録媒体の着脱が可能なディスク駆動装置と、前記ディスク駆動装置を覆うディスクカバーと、データ入力のためのキーボードとを備え、前記ディスク駆動装置は前記筐体に直接または緩衝材を介して固定され、前記ディスクカバーは前記キーボードの端縁に近くかつ前記キーボードの端縁に平行な軸を中心として前記筐体に対して開閉され、前記ディスクカバーを開いて前記ディスク駆動装置にディスク記録媒体を装着したとき前記ディスク記録媒体の一部は前記キーボードの下方に進入することを特徴とするものである。
【００１３】
この構成によって、筐体側面に切り欠きがないので筐体材料を薄肉にしても強度を高められ、ディスク駆動装置周辺も部品移動スペースも不要で容積効率が高く筐体高さも低く、小型軽量化できることとなる。
【００１４】
【発明の実施の形態】
以下、本発明の携帯型情報処理装置についてノート型パソコンを例として図面に基づき詳細を説明する。図１は本発明の一実施形態における携帯型情報処理装置の使用状態を示す斜視図、図２は同じくそのディスクカバーを開けた状態を示す斜視図、図３は同じくディスク駆動装置周辺を示す断面図、図４は同じく下ケースを外した状態を示す底面図である。
【００１５】
（実施の形態１）
図１および図２において、筐体の一部である本体２１は上ケース２１ａと下ケース２１ｂよりなり、上ケース２１ａの後方上面には、文字、数字、記号などを入力し、またはノート型パソコンに各種の指示を与えるための多数のキーを配列したキーボード２２を配置し、上ケース２１ａの前方（手前側）上面には、キーボード２２の手前側端縁に近くかつ手前側端縁に平行に設けた軸２３を中心に回動するディスクカバー２４を備えていて、後述の係止方法で常時はディスク駆動装置を覆って閉じている。このディスクカバー２４の上面の一部右端には位置入力用のキーパッドなどのポインティングデバイス２５が設けられている。そしてディスクカバー２４は付勢手段として、つる巻きばねなどによる押し上げばね２６によって解放方向に付勢され、ロック機構２７によって常時は閉状態でロックされている。図示していないが、ディスクカバー２４が一定角度以上に開かないようストッパを設けるのが良い。
【００１６】
本体２１の後方の端部に平行な軸２８に対して回動自在に筐体の一部である表示部２９が取り付けられ、表示部２９を閉じたときキーボード２２に面する側に液晶表示装置などの表示装置３０が配置されている。
【００１７】
ディスクカバー２４を開いた図２において、ディスク駆動装置の駆動モータ（図示せず）の駆動軸３１にＣＤ−ＲＯＭまたはＤＶＤ−ＲＯＭなどのディスク３２を着脱自在に装着できるようになっている。このときディスク３２の一部はキーボード２２の下方に進入してキーボード２２と重なるので、本体２１の奥行きを小さくすることができる。ディスクカバー２４の裏面には２個の突起３４が設けられ、ディスクカバー２４が閉じられたとき本体２１側のスイッチ３５を押圧することによってディスク駆動装置のレーザー発光装置部に電源が入り、駆動可能になり、ディスクカバー２４の解放時には安全のためレーザー発光装置部の電源が入らないようになっている。
【００１８】
そしてさらに図３に示すように、ディスク駆動装置３３は、その駆動軸３１にディスク３２が取り付けられたとき、ディスク３２の、キーボード２２下方に進入した部分が他の部分より低くなるよう、駆動軸３１を傾斜させて空間を有効に利用している。
【００１９】
以上のように本実施形態によれば、ディスク記録媒体の着脱が可能なディスク駆動装置を筐体に直接または緩衝材を介して固定し、このディスク駆動装置を覆うディスクカバーがキーボードの端縁に近く、かつキーボードの端縁に平行な軸を中心として筐体に対して開閉されるものであり、かつディスク駆動装置にディスクを装着したときにディスク記録媒体の一部がキーボードの下方に進入するように構成され、さらにはディスク駆動装置は取り付けられたディスク記録媒体がキーボード下方に進入した部分に向かって他の部分より低くなるよう傾斜して取り付けられたことにより、従来のように本体ケース側面を切り欠くことによる本体ケースの強度低下もなく、それを補うための本体ケース肉厚増加も必要なく、スライド機構に伴う内部空間の増加や重量増加もなく、小型軽量な携帯型情報処理装置を構成することができる。
【００２０】
また特許文献１のようにキーボード全体を開くこともないので、キーボードは筐体に固定されていて構造も丈夫であり、キーボードユニット底面をアルミニウムや銅などの熱伝導率の高い材料で構成し、この底面にＣＰＵなどの発熱部分を接触させて放熱することができる。
【００２１】
（実施の形態２）
本実施の形態においては、実施の形態１で説明に用いた図１〜図４をそのまま用いて説明する。図２においてディスクカバー２４が開いているとき、たまたま表示部２９を本体２１方向に回動して閉じようとすると、表示部２９の表示装置３０がディスクカバー２４に当たって破損する恐れがある。そこで本実施形態では表示部２９の縁辺２９ａは表示装置３０より突出しており、かつ縁辺２９ａの幅Ａはディスクカバー２４と当接するように、言い換えればディスクカバー２４は縁辺２９ａと当接するような位置に設けるものである。
【００２２】
さらにこの目的が良好に達成されるためには、押し上げばね２６はディスクカバー２４において縁辺２９ａに近い、図における左側に設ける。これはもし縁辺２９ａに遠い側、すなわち図の右側に設けたとすると、右側に持ち上げる力が加わる結果、ディスクカバー２４にねじれが生じ、右側が先に表示装置３０の面に当接してしまう可能性があるからである。
【００２３】
以上のように本実施形態によれば、本体に対して軸により回動自在な表示部の縁辺が表示装置より突出し、かつディスクカバーに当接するような位置に設け、さらにはディスクカバーの押し上げばねを表示部の縁辺に近い側に設けることによって、誤ってディスクカバーが開いているときに表示部を閉じようとして表示装置が損傷することを防ぐ。
【００２４】
なお、上記各実施の形態において示した各構成部品の配置は一例であり、請求の範囲内において自由に変形して実施ができることはいうまでもない。
【００２５】
また、上記では再生専用のディスクを用いて説明したが、ディスク駆動装置が対応しておれば記録可能なディスクを用いることもできる。
【００２６】
【発明の効果】
以上説明したように本発明の携帯型情報処理装置によれば、ディスク記録媒体の着脱が可能なディスク駆動装置を筐体に直接または緩衝材を介して固定し、このディスク駆動装置を覆うディスクカバーがキーボードの端縁に近くかつキーボードの端縁に平行な軸を中心として筐体に対して開閉されるものであり、かつディスク駆動装置にディスクを装着したときにディスク記録媒体の一部がキーボードの下方に進入するように構成され、さらにはディスク駆動装置は取り付けられたディスク記録媒体がキーボード下方に進入した部分に向かって他の部分より低くなるよう傾斜して取り付けられることにより、従来のように本体ケース側面を切り欠くことによる本体ケースの強度低下もなく、それを補うための本体ケース肉厚増加も必要なく、スライド機構に伴う内部空間の増加や重量増加もなく、小型軽量な携帯型情報処理装置を構成することができるという有用な発明である。
【００２７】
また上記の構成において、表示装置を持ち、本体に対して軸により回動自在な表示部の縁辺が表示装置より突出し、かつディスクカバーに当接するように構成し、さらにはディスクカバーの押し上げばねを表示部の縁辺に近い側に設けることによって、誤ってディスクカバーが開いているときに表示部を閉じようとして表示装置がディスクカバーに当接・損傷することを防ぐという効果が得られる。
【図面の簡単な説明】
【図１】本発明の一実施形態における携帯型情報処理装置の使用状態を示す斜視図
【図２】同じくそのディスクカバーを開けた状態を示す斜視図
【図３】同じくディスク駆動装置周辺を示す断面図
【図４】同じく下ケースを外した状態を示す底面図
【図５】従来のノート型パソコンの使用状態の外観斜視図
【図６】同じく従来のノート型パソコンの筐体の裏板を外したときの底面図
【符号の説明】
２１  本体
２１ａ  上ケース
２１ｂ  下ケース
２２  キーボード
２３  軸
２４  ディスクカバー
２５  ポインティングデバイス
２６  押し上げばね
２７  ロック機構
２８  軸
２９  表示部
２９ａ  縁辺
３０  表示装置
３１  駆動軸
３２  ディスク
３３  ディスク駆動装置
３４  突起
３５  スイッチ
【図１】
2004326499.tif 000003
【図２】
2004326499.tif 000004
【図３】
2004326499.tif 000005
【図４】
2004326499.tif 000006
【図５】
2004326499.tif 000007
【図６】
2004326499.tif 000008